(57)【要約】【課題】縦置きパッケージと横置きパッケージとを一つの筐体に混在させた場合に、横置きパッケージが発生する熱を、横置きパッケージ自身には勿論縦置きのパッケージにも影響させないようにした。【解決手段】外郭となる筐体２に、縦置きパッケージ収容部８と、横置きパッケージ収容部９とを上下に重ねて別々に設け、縦置きパッケージ収容部８に、発熱する回路部品を有する複数のデータ制御用パッケージ２４を収容すると共に、横置きパッケージ収容部９に、発熱する回路部品を有する複数の通信用パッケージ３３を収容し、筐体２に、データ制御用パッケージ２４を冷却する縦置きパッケージ用強制冷却系Ｗ１と、通信用パッケージ３３を冷却する横置きパッケージ用強制冷却系Ｗ２を設けるようにした。【選択図】図１０
2009218519.tif 000002
【特許請求の範囲】
【請求項１】
外郭となる筐体に、縦置きパッケージ収容部と、横置きパッケージ収容部とを縦方向に重ねて別々に設け、前記縦置きパッケージ収容部に、発熱する回路部品を有する複数の縦置きパッケージを収容すると共に、前記横置きパッケージ収容部に、発熱する回路部品を有する横置きパッケージを収容し、前記筐体に、前記縦置きパッケージを冷却する縦置きパッケージ用強制冷却系と、前記横置きパッケージを冷却する横置きパッケージ用強制冷却系を設けるようにしたことを特徴とする電子機器の冷却装置。
【請求項２】
前記縦置きパッケージ用強制冷却系は、前記筐体に設けた縦置きパッケージ用冷却用空気取入口と、隣り合う前記縦置きパッケージ間の冷却に要する縦置きパッケージ冷却用空間部と、前記筐体に設けた排気口と、この排気口に設置された冷却フアンとを備えていて、前記縦置きパッケージ用冷却用空気取入口を入口側縦置きパッケージ冷却用導風路で前記縦置きパッケージ冷却用空間部の冷却用空気入口側に接続すると共に、前記縦置きパッケージ冷却用空間部の冷却用空気出口側を出口側縦置きパッケージ冷却用導風路により前記排気口に接続して構成してあり、前記横置きパッケージ用強制冷却系は、前記筐体に設けた横置きパッケージ用冷却用空気取入口と、隣り合う前記横置きパッケージ間の冷却に要する横置きパッケージ冷却用空間部と、前記排気口と、前記冷却フアンを備えていて、前記横置きパッケージ用冷却用空気取入口を入口側横置きパッケージ冷却用導風路により前記横置きパッケージ冷却用空間部の冷却用空気入口側に接続すると共に、前記横置きパッケージ冷却用空間部の冷却用空気出口側を出口側横置きパッケージ冷却用導風路により前記排気口に接続して構成したことを特徴とする請求項１に記載の電子機器の冷却装置。
【請求項３】
前記縦置きパッケージ冷却用空間部は、前記縦置きパッケージの一側面部に縦方向に沿う仕切部材を固着し、複数の前記縦置きパッケージを前記縦置きパッケージ収容部に収容して、隣り合う前記縦置きパッケージ間の空間を前記仕切部材により仕切ることで構成してあり、前記横置きパッケージ冷却用空間部は、前記横置きパッケージ収容部に収容された前記横置きパッケージを取り巻く内部空間で構成してあることを特徴とする請求項２に記載の電子機器の冷却装置。
【請求項４】
前記横置きパッケージ収容部の天井部に、垂直面部と傾斜面部と両面部がなす角部を有する第１の風導板材を固着して、前記第１の風導板材の前記角部を前記仕切部材に近づけて、前記傾斜面部と前記筐体の周壁の内面部とで、前記入口側縦置きパッケージ冷却用導風路を構成し、前記横置きパッケージ収容部の底部と前記筐体の底壁との間の空間で前記入口側横置きパッケージ冷却用導風路を構成するようにしたことを特徴とする請求項３に記載の電子機器の冷却装置。
【請求項５】
前記出口側縦置きパッケージ冷却用導風路は、前記筐体の天井側空間を風導板材で仕切ることで、前記縦置きパッケージ冷却用空間部を出た冷却用空気を前記排気口に導くように構成してあり、前記出口側横置きパッケージ冷却用導風路は、前記第１の風導板材の前記垂直面部にコ字形状の第２の風導板材を固着して、この第２の風導板材と前記垂直面部で構成した第１の出口側導風路と、前記縦置きパッケージ冷却用空間部と前記仕切部材で仕切られ且つ隣り合う前記縦置きパッケージ間の空間で構成した第２の出口側導風路と、前記天井側空間を前記風導板材と他の風導板材で仕切ることで前記第２の出口側導風路を出た冷却用空気を前記排気口に導く第３の出口側導風路で構成するようにしたことを特徴とする請求項４に記載の電子機器の冷却装置。
【発明の詳細な説明】
【技術分野】
【０００１】
本発明は、一つの筐体の内部に、縦置きのパッケージを収容する電子機器において、横置きのパッケージを混在させた場合に、特に、両パッケージの冷却性能を改善するための冷却装置に関する。
【背景技術】
【０００２】
例えば、電子機器において、一つの筐体の内部に、縦置きのパッケージのみを収容したものが知られている。このような電子機器は、複数基、冷却サイクルを円滑にするためラックに縦方向に並べて設置されている。このラックは、横幅が１９インチと規格で決まっている規格品である。
【０００３】
しかし、パッケージの数が増えて、パッケージがラックに入りきれない場合、もう一つ筐体を増やして対処していたが、１９インチの規格品であるラックには、他の様々な装置が収容されていて、もう一つの筐体を収容するスペースがなく、これに対処するためには別の１９インチラックを使用せざるを得ないことになり、結果的に、設置スペースを拡大させてしまうのが実情である。
【０００４】
なお、電子機器の冷却装置として、収容室と、この収容室を覆うカバー体とを有し、このカバー体に空気取入口が形成された筐体と、冷却用空気を取り入れる吸気口を有し、この吸気口をカバー体に向けた姿勢で収容室に収容された自然空冷ユニットと、冷却フアンと、この冷却フアンの作動時に冷却用空気を吸い込む吸気口とを有し、この吸気口をカバー体に向けた姿勢で収容室に収容された強制空冷ユニットとを備えたものがある（特許文献１参照）。
【特許文献１】特開２０００−２９４９６５号公報
【発明の開示】
【発明が解決しようとする課題】
【０００５】
上記したように、１９インチの規格品であるラックに収容できる横幅を有する一つの筐体の内部に、多くのパッケージを収容することができないために、設置スペースを大きくすることなく、より多くのパッケージを収容したいという、顧客の要望に答えることができないという問題がある。
【０００６】
そこで、１９インチラックを増やさずに、パッケージ枚数の増加に対処するため、本発明者たちは、筐体に縦置きパッケージの上または下に、横置きに横置きパッケージを設置してすることによって対処することを考えついたが、一つの筐体内にこのように縦置きパッケージの他に横置きパッケージを混在させた場合には、横置きパッケージが発生する熱が横置きパッケージ自身に影響を及ぼすばかりでなく、縦置きパッケージにも影響を及ぼすことを突き止めた。
【０００７】
本発明はかかる事情に鑑みてなされたもので、その目的とするところは、縦置きパッケージと横置きパッケージとを一つの筐体に混在させた場合に、横置きパッケージが発生する熱を、横置きパッケージ自身には勿論縦置きのパッケージにも影響させないようにした電子機器の冷却装置を提供することである。
【課題を解決するための手段】
【０００８】
上記の目的を達成するために、本発明に係る電子機器の冷却装置は、外郭となる筐体に、縦置きパッケージ収容部と、横置きパッケージ収容部とを縦方向に重ねて別々に設け、縦置きパッケージ収容部に、発熱する回路部品を有する複数の縦置きパッケージを収容すると共に、横置きパッケージ収容部に、発熱する回路部品を有する横置きパッケージを収容し、筐体に、縦置きパッケージを冷却する縦置きパッケージ用強制冷却系と、横置きパッケージを冷却する横置きパッケージ用強制冷却系を設けるようにしたことを特徴とする。
【０００９】
かかる構成により、縦置きパッケージを縦置きパッケージ用強制冷却系で冷却するし、また、横置きパッケージを横置きパッケージ用強制冷却系で冷却することができるために、横置きパッケージが発生する熱を、縦置きパッケージに影響させないようにすることができる。
【００１０】
したがって、別の１９インチのラックを使用することなく、１９インチのラックに収容できる横幅を有する一つの筐体に、縦置きパッケージと横置きパッケージを混在させることができて、より多くのパッケージを一つの筐体の内部に収容することができる。このために、設置スペースを拡大させてしまうことなく、より多くのパッケージを収容したいという、顧客の要望に答えることができる。
【００１１】
本発明に係る電子機器の冷却装置は、上記した本発明に係る電子機器の冷却装置において、縦置きパッケージ用強制冷却系は、筐体に設けた縦置きパッケージ用冷却用空気取入口と、隣り合う縦置きパッケージの冷却に要する縦置きパッケージ冷却用空間部と、筐体に設けた排気口と、この排気口に設置された冷却フアンとを備えていて、縦置きパッケージ用冷却用空気取入口を入口側縦置きパッケージ冷却用導風路で縦置きパッケージ冷却用空間部の冷却用空気入口側に接続すると共に、縦置きパッケージ冷却用空間部の冷却用空気出口側を出口側縦置きパッケージ冷却用導風路により排気口に接続して構成してあり、横置きパッケージ用強制冷却系は、筐体に設けた横置きパッケージ用冷却用空気取入口と、隣り合う横置きパッケージの冷却に要する横置きパッケージ冷却用空間部と、排気口と、冷却フアンを備えていて、横置きパッケージ用冷却用空気取入口を入口側横置きパッケージ冷却用導風路により横置きパッケージ冷却用空間部の冷却用空気入口側に接続すると共に、横置きパッケージ冷却用空間部の冷却用空気出口側を出口側横置きパッケージ冷却用導風路により排気口に接続して構成したことを特徴とする。
【００１２】
かかる構成により、排気口の冷却フアンを回転駆動することにより、縦置きパッケージ用強制冷却系に空気を流動させて縦置きパッケージの冷却を行なうと共に、横置きパッケージ用強制冷却系に空気を流動させて横置きパッケージの冷却を行なう。
【００１３】
すなわち、縦置きパッケージの冷却の場合、縦置きパッケージ用冷却用空気取入口から外気である冷却用空気が取り込まれ、この冷却用空気は入口側縦置きパッケージ冷却用導風路を経て縦置きパッケージ冷却用空間部を流動して出口側縦置きパッケージ冷却用導風路を経て排気口から機外に排出される。この場合、縦置きパッケージ冷却用空間部において、冷却用空気が、隣り合う縦置きパッケージ間を流動することで、各縦置きパッケージが冷却されることになる。
【００１４】
横置きパッケージの冷却の場合、横置きパッケージ用冷却用空気取入口から外気である冷却用空気が取り込まれ、この冷却用空気は、入口側横置きパッケージ冷却用導風路を経て横置きパッケージ冷却用空間部を通過して、出口側横置きパッケージ冷却用導風路（第１の出口側導風路と、第２の出口側導風路と、第３の出口側導風路）を経て排気口から機外に排出される。この場合、横置きパッケージ冷却用空間部内において、冷却用空気が、横置きパッケージ上部を流動することで、横置きパッケージが冷却されることになる。
【００１５】
このように、縦置きパッケージを縦置きパッケージ用強制冷却系で冷却するし、また、横置きパッケージを横置きパッケージ用強制冷却系で冷却することができるために、横置きパッケージが発生する熱を、縦置きパッケージに影響させないようにすることができる。
【００１６】
したがって、別の１９インチのラックを使用することなく、１９インチのラックに収容できる横幅を有する一つの筐体に、縦置きパッケージと横置きパッケージを混在させることができて、より多くのパッケージを一つの筐体の内部に収容することができる。このために、設置スペースを拡大させてしまうことなく、より多くのパッケージを収容したいという、顧客の要望に答えることができる。
【００１７】
本発明に係る電子機器の冷却装置は、上記した本発明に係る電子機器の冷却装置において、縦置きパッケージ冷却用空間部は、縦置きパッケージの一側面部に縦方向に沿う仕切部材を固着し、複数の縦置きパッケージを縦置きパッケージ収容部に収容して、隣り合う縦置きパッケージ間の空間を仕切部材により仕切ることで構成してあり、横置きパッケージ冷却用空間部は、横置きパッケージ収容部に収容された横置きパッケージを取り巻く内部空間で構成してあることを特徴とする。
【００１８】
かかる構成により、縦置きパッケージ冷却用空間部は、縦置きパッケージの一側面部に固着した仕切部材で、隣り合う縦置きパッケージ間の空間を仕切ることで構成してあって、縦置きパッケージ冷却用空間部の構成が簡単になるし、また、仕切部材は縦置きパッケージの支軸としての機能を果たし、縦置きパッケージの強度を増やし、縦置きパッケージ収容部に収容された場合のふらつきを防止することができる。また、横置きパッケージ冷却用空間部は、横置きパッケージ収容部の横置きパッケージを取り巻く内部空間で構成してあって、横置きパッケージ冷却用空間部の構成が簡単になり、部品点数の削減や筐体の構造の簡略化が可能になり、電子機器のコストを低減することができる。
【００１９】
本発明に係る電子機器の冷却装置は、上記した本発明に係る電子機器の冷却装置において、横置きパッケージ収容部の天井部に、垂直面部と傾斜面部と両面部がなす角部を有する第１の風導板材を固着して、第１の風導板材の角部を仕切部材に近づけて、傾斜面部と筐体の周壁の内面部とで、入口側縦置きパッケージ冷却用導風路を構成し、横置きパッケージ収容部の底部と筐体の底壁との間の空間で入口側横置きパッケージ冷却用導風路を構成するようにしたことを特徴とする。
【００２０】
かかる構成により、入口側縦置きパッケージ冷却用導風路は、第１の風導板材の傾斜面部と筐体の周壁の内面部とで構成してあって、構成が簡単になるし、また、入口側横置きパッケージ冷却用導風路は横置きパッケージ収容部の底部と筐体の底壁との間の空間で構成してあって構成が簡単になり、部品点数の削減や筐体の構造の簡略化が可能になり、電子機器のコストを低減することができる。
【００２１】
本発明に係る電子機器の冷却装置は、上記した本発明に係る電子機器の冷却装置において、出口側縦置きパッケージ冷却用導風路は、筐体の天井側空間を風導板材で仕切ることで、縦置きパッケージ冷却用空間部を出た冷却用空気を排気口に導くように構成してあり、出口側横置きパッケージ冷却用導風路は、第１の風導板材の垂直面部にコ字形状の第２の風導板材を固着して、この第２の風導板材と垂直面部で構成した第１の出口側導風路と、縦置きパッケージ冷却用空間部と仕切部材で仕切られ且つ隣り合う縦置きパッケージ間の空間で構成した第２の出口側導風路と、天井側空間を風導板材と他の風導板材で仕切ることで第２の出口側導風路を出た冷却用空気を排気口に導く第３の出口側導風路で構成するようにしたことを特徴とする。
【００２２】
かかる構成により、出口側縦置きパッケージ冷却用導風路は、筐体の天井側空間を風導板材で仕切ることで構成してあって、構成が簡単になり、また、出口側横置きパッケージ冷却用導風路は、第２の風導板材と第１の風導板材の垂直面部で構成した第１の出口側導風路と、縦置きパッケージ冷却用空間部と仕切部材で仕切られ且つ隣り合う縦置きパッケージ間の空間で構成した第２の出口側導風路と、天井側空間を風導板材と他の風導板材で仕切ることで構成した第３の出口側導風路とで構成してあって構成が簡単になり、部品点数の削減や筐体の構造の簡略化が可能になり、電子機器のコストを低減することができる。
【発明の効果】
【００２３】
本発明に係る電子機器の冷却装置によれば、縦置きパッケージを縦置きパッケージ用強制冷却系で冷却するし、また、横置きパッケージを横置きパッケージ用強制冷却系で冷却することができるために、横置きパッケージが発生する熱を、縦置きのパッケージに影響させないようにすることができる。したがって、別の１９インチのラックを使用することなく、１９インチのラックに収容できる横幅を有する一つの筐体に、縦置きパッケージと横置きパッケージを混在させることができて、より多くのパッケージを一つの筐体の内部に収容することができる。このために、設置スペースを拡大させてしまうことなく、より多くのパッケージを収容したいという、顧客の要望に答えることができる。
【発明を実施するための最良の形態】
【００２４】
本発明に係る電子機器の冷却装置は、外郭となる筐体２に、縦置きパッケージ収容部８と、横置きパッケージ収容部９とを上下に重ねて別々に設け、縦置きパッケージ収容部８に、発熱する回路部品を有する複数の縦置きパッケージであるデータ制御用パッケージ２４を収容すると共に、横置きパッケージ収容部９に、発熱する回路部品を有する複数の横置きパッケージである通信用パッケージ３３を収容し、筐体２に、データ制御用パッケージ２４を冷却する縦置きパッケージ用強制冷却系Ｗ１と、通信用パッケージ３３を冷却する横置きパッケージ用強制冷却系Ｗ２を設けるようにしたものである。
【００２５】
そして、縦置きパッケージ用強制冷却系Ｗ１は、筐体２に設けた縦置きパッケージ用冷却用空気取入口である正面空気取入口１４と、縦置きパッケージ冷却用空間部Ｇと、筐体２に設けた排気口１７と、この排気口１７に設置された冷却フアン１８とを備えていて、正面空気取入口１４を入口側縦置きパッケージ冷却用導風路Ｇ１で縦置きパッケージ冷却用空間部Ｇの冷却用空気入口側に接続すると共に、縦置きパッケージ冷却用空間部Ｇの冷却用空気出口側を出口側縦置きパッケージ冷却用導風路Ｇ２により排気口１７に接続して構成してあり、横置きパッケージ用強制冷却系Ｗ２は、筐体２に設けた横置きパッケージ用冷却用空気取入口である側面空気取入れ口１９Ｌ，１９Ｒと、横置きパッケージ冷却用空間部Ｈと、排気口１７と、冷却フアン１８を備えていて、側面空気取入れ口１９Ｌ，１９Ｒを入口側横置きパッケージ冷却用導風路Ｈ１により横置きパッケージ冷却用空間部Ｈの冷却用空気入口側に接続すると共に、横置きパッケージ冷却用空間部Ｈの冷却用空気出口側を出口側横置きパッケージ冷却用導風路Ｈ２により排気口１７に接続して構成してある。
【００２６】
以下、本発明の実施の形態を、図１乃至図１０に基づいて説明する。
【００２７】
図１は本発明の実施の形態に係る冷却装置を備えた電子機器の斜視図、図２は同電子機器の正面図、図３は同電子機器の後面図、図４は同電子機器の右側面図、図５は同電子機器の左側面図、図６は同電子機器の分解状態の斜視図である。
【００２８】
図１は電子機器１を開示している。この電子機器１は、外郭となる筐体２を有している。筐体２は、底壁３と、この底壁３と向かい合う天井壁４と、これら底壁３と天井壁４とに跨る左、右側壁５Ｌ，５Ｒと、前壁６および後壁７とを有する上下方向に縦長の箱状をなしている。
【００２９】
そして、図６及び図７に示すように、筐体２内にはマザーボード２１が収容してあり、このマザーボード２１により、筐体２の内部に、縦置きパッケージ収容部８と、この縦置きパッケージ収容部８の下方に位置する横置きパッケージ収容部９と、縦置きパッケージ収容部８の後方に位置する配線スペース１０と、横置きパッケージ収容部９の後方に位置する電源収容部１１を構成している。この電源収容部１１には電源１１Ａが収容してある。
【００３０】
図１及び図２に示すように、筐体２の前壁６には、縦置きパッケージ収容部８に連なる第１の機器挿入口１２と、横置きパッケージ収容部９に連なる第２の機器挿入口１３が形成してあり、また、前壁６には第１の機器挿入口１２と第２の機器挿入口１３との間に挟まれた状態で、縦置きパッケージ用冷却用空気取入口である多孔板材からなる正面空気取入口１４が設けてある。
【００３１】
また、図３及び図６に示すように、筐体２の後壁７には作業用開口部１６が形成してある。この作業用開口部１６は、配線スペース１０に連なると共に、蓋体１６Ａにより閉じられている。また、後壁７の上部には排気口１７が設けてあり、この排気口１７に、三個の冷却フアン１８が横方向に並べて配置してある。
【００３２】
また、図４に示すように、筐体２の右側壁５Ｒの前側下部には多数の孔を形成してなる横置きパッケージ用冷却用空気取入口である側面空気取入口１９Ｒが設けてあり、また、後側下部には通気口２０Ｒが設けてある。
【００３３】
また、図５に示すように、筐体２の左側壁５Ｌの前側下部には多数の孔を形成してなる横置きパッケージ用冷却用空気取入口である側部空気取入口１９Ｌが設けてあり、また、後側下部には通気口２０Ｌが設けてある。
【００３４】
そして、底壁３に前壁６及び後壁７を固着し、前壁６及び後壁７に天井壁４を固着し、これら底壁３、天井壁４、前壁６及び後壁７の左縁部に左側壁５Ｌを固着し、底壁３、天井壁４、前壁６及び後壁７の右縁部に右側壁５Ｒを固着することで、上下方向に縦長の箱状の筐体２が構成してある。
【００３５】
図６及び図７に示すように、縦置きパッケージ収容部８には、その底側に、前後方向に沿うパッケージ受け側レール２２が横方向に所定の間隔で複数本配置してあり、また、天井側にレール形成部材２３が前後に横架してあって、これらのレール形成部材２３には複数のパッケージ受け上側レール部（図示せず）が形成してあり、パッケージ受け下側レール２２とパッケージ受け上側レール部とで縦置きパッケージであるデータ制御用パッケージ２４を移動可能に保持するようにしてある。
【００３６】
図６及び図７に示すように、縦置きのデータ制御用パッケージ２４はプレート形状であり、その左側面部２４ａには、その後部寄りに上下方向に沿う仕切板材２５が固着してあるし、また、後縁部には接続コネクタ２６が取付けてある。そして、縦置きのデータ制御用パッケージ２４は、パッケージ受け下側レール２２とパッケージ受け上側レール部とで移動可能に保持された状態で縦置きパッケージ収容部８に収容してあり、接続コネクタ２６はマザーボード２１のコネクタ２７に接続してある。
【００３７】
この場合、図７に示すように、隣り合うデータ制御用パッケージ２４間の空間は仕切部材２５により後方（マザーボード２１側）の空間とは仕切られた状態になり、この仕切部材２５により前方の空間が縦置きパッケージ冷却用空間部Ｇになる。また、仕切部材２５より後方の空間は、出口側横置きパッケージ冷却用導風路Ｈ２の第２の出口側導風路Ｈ２−２を構成するものである。
【００３８】
図７及び図９に示すように、横置きパッケージ収容部９には、一対の保持部材３１が横架固定してあって、この保持部材３１に支持された状態で、横置きパッケージである通信用パッケージ３３が出入れ可能に配置してある。そして、図６に示すように、横置きパッケージ収容部９の天井部３２ｂには通気口３４ｂが形成してある。
【００３９】
この場合、図６及び図９に示すように、横置きパッケージ収容部９の底部３２ａと、筐体２の底壁３との間には空間があり、この空間は、筐体２の左、右側壁５Ｌ，５Ｒの側面空気取入口１９Ｌ，１９Ｒに連通していて、入口側横置きパッケージ冷却用導風路Ｈ１を構成している。
【００４０】
図７に示すように、横置きパッケージ収容部９の天井部３２ｂの上面には第１、第２の風導板材３５、３６が配置してある。この第１の風導板材３５は、図６に示すように、垂直面部３５ａと傾斜面部３５ｂと両面部がなす角部３５ｃを有していて、垂直面部３５ａと傾斜面部３５ｂのそれぞれの端部が取付部３５Ａ、３５Ｂにしてある。また、第２の風導板材３６は、垂直面部３６ａの両側部を直角に屈曲して、これらの屈曲部３６ｂの端部を取付部３６Ａにしたものである。
【００４１】
そして、図７に示すように、第１の風導板材３５は、その傾斜面部３５ｂを筐体２の正面空気取入口１４に対向させるようにして取付部３５Ａ、３５Ｂで横置きパッケージ収容部９の上面に固定してある。また、第２の風導板材３６は、屈曲部３６ｂの取付部３６Ａを第１の風導板材３５の垂直面部３５ａに取付けて横置きパッケージ収容部９の天井部３２ｂの上面に配置してある。この場合、図７に示すように、第１の風導板材３５の角部３５ｃはデータ制御用パッケージ２４の仕切部材２５に近づけてあり、第１の風導板材３５の傾斜面部３５ｂと筐体２の左、右側壁５Ｌ，５Ｒの内面部とで、正面空気取入口１４から取り込まれた冷却用空気を、縦置きパッケージ冷却用空間部Ｇに導く入口側縦置きパッケージ冷却用導風路Ｇ１を構成している。
【００４２】
また、図７及び図８に示すように、第２の風導板材３６は、第１の風導板材３５の垂直面部３５ａと共に、出口側横置きパッケージ冷却用導風路Ｈ２の第１の出口側導風路Ｈ２−１を構成していて、横置きパッケージ冷却用空間部Ｈから出た冷却後の冷却用空気を第２の出口側導風路Ｈ２−２に導くものである。
【００４３】
図７，図８及び図１０に示すように、筐体２の天井側空間Ｆには、第３、第４、第５の風導板材３７，３８，３９が配置してある。この第３の風導板材３７は、天井側空間Ｆの横幅に等しい幅を有する板材で形成してあり、第３の風導板材３７の両側縁部には取付部３７Ａが設けてある。また、第４の風導板材３８は天井側空間Ｆの横幅に等しい幅を有する波状板材で形成してあり、第４の風導板材３８の両側縁部には取付部３８Ａが設けてあり、第４の風導板材３８の前縁部３８ａは下方向に湾曲している。また、第５の風導板材３９は、天井側空間Ｆの横幅に等しい幅を有する波状板材で形成してあり、第５の風導板材３９の両側縁部には取付部３９Ａが設けてある。
【００４４】
そして、図８及び図１０に示すように、第３の風導板材３７は、その取付部３７Ａを筐体２の左、右側壁５Ｌ，５Ｒの内面部に固定して、天井側空間Ｆにおける筐体２の前壁６と天井壁４とが成す角部Ｆ１を覆うように配置してある。
【００４５】
また、図８及び図１０に示すように、第４の風導板材３８は、その取付部３８Ａを筐体２の左、右側壁５Ｌ，５Ｒの内面部に固定して天井側空間Ｆに配置してある。そして、その湾曲した前縁部３８ａをデータ制御用パッケージ２４の仕切板材２５の上端部に近づけている。この場合、図１０に示すように、第３の風導板材３７と第４の風導板材３８と筐体２の天井壁４の内面部と筐体２の左、右側壁５Ｌ，５Ｒの内面部とで、縦置きパッケージ冷却用空間部Ｇから出た冷却用空気を排気口１７側に導く出口側縦置きパッケージ冷却用導風路Ｇ２を構成している。
【００４６】
また、図８及び図１０に示すように、第５の風導板材３９は、その取付部３９Ａを筐体２の左、右側壁５Ｌ，５Ｒの内面部に固定して第４の風導板材３８の下方で、この第４の風導板材３８に沿うようにして天井側空間Ｆに配置してある。そして、第５の風導板材３９の前縁部３９ｂは、バックボード２１の上縁部に近づけてあり、また、第５の風導板材３９の後縁部３９ｃは排気口１７の下枠側に近づけてある。この場合、図１０に示すように、第４の風導板材３８と第５の風導板材３９と筐体２の左、右側壁５Ｌ，５Ｒの内面部とで、出口側横置きパッケージ冷却用導風路Ｈ２の第３の出口側導風路Ｈ２−３を構成してある。
【００４７】
したがって、図１０に示すように、縦置きパッケージ用冷却用空気取入口である正面冷却用空気取入口１４と、入口側縦置きパッケージ冷却用導風路Ｇ１と、縦置きパッケージ冷却用空間部Ｇと、出口側縦置きパッケージ冷却用導風路Ｇ２と、排気口１７と、この排気口１７に設置された冷却フアン１８とで縦置きパッケージ用強制冷却系Ｗ１が構成してある。
【００４８】
また、図９及び図１０に示すように、横置きパッケージ用冷却用空気取入口である側面冷却用空気取入口１９Ｌ，１９Ｒと、入口側横置きパッケージ冷却用導風路Ｈ１と、横置きパッケージ冷却用空間部Ｈと、出口側横置きパッケージ冷却用導風路Ｈ２と、排気口１７と、この排気口１７に設置された冷却フアン１８とで横置きパッケージ用強制冷却系Ｗ２は構成してある。そして、出口側横置きパッケージ冷却用導風路Ｈ２は、第１の出口側導風路Ｈ２−１と、第２の出口側導風路Ｈ２−２と、第３の出口側導風路Ｈ２−３とで構成してある。
【００４９】
次に、上記のように構成された本発明に係る電子機器の冷却装置の作動を説明する。
【００５０】
縦置きパッケージであるデータ制御用パッケージ２４及び横置きパッケージである通信用パッケージ３３の回路モジュールは、図示を省略するが複数の回路基板を有し、これら回路基板上にＩＣチップのような動作中に発熱する多数の回路部品が実装されている。したがって、回路部品の発熱に伴って、電子機器１の内部は温度が上昇して電子機器１に性能に悪影響を与える。このために、冷却する必要がある。
【００５１】
この冷却を行なうために、排気口１７の冷却フアン１８を回転駆動することにより、縦置きパッケージ用強制冷却系Ｗ１に冷却用空気を流動させて縦置きのデータ制御用パッケージ２４の冷却を行なうと共に、横置きパッケージ用強制冷却系Ｗ２に冷却用空気を流動させて横置きの通信用パッケージ３３の冷却を行なう。
【００５２】
縦置きのデータ制御用パッケージ２４の冷却の場合、図９及び図１０に実線矢印で示すように、縦置きパッケージ用強制冷却系Ｗ１の正面空気取入口１４から外気である冷却用空気が取り込まれ、この冷却用空気は入口側縦置きパッケージ冷却用導風路Ｇ１を経て、隣り合うデータ制御用パッケージ２４間の縦置きパッケージ冷却用空間部Ｇを流動して出口側縦置きパッケージ冷却用導風路Ｇ２を経て排気口１７から機外に排出される。この場合、冷却用空気が、縦置きパッケージ冷却用空間部Ｇを流動することで、各データ制御用パッケージ２４が冷却されることになる。
【００５３】
横置きの通信用パッケージ３３の冷却の場合、図９及び図１０に点線矢印で示すように、横置きパッケージ用強制冷却系Ｗ２の側面空気取入口１９Ｌ，１９Ｒから外気である冷却用空気が取り込まれ、この冷却空気は、入口側横置きパッケージ冷却用導風路Ｈ１を経て、横置きパッケージ収容部９の側面の通気口１９Ｒ、１９Ｌから横置きパッケージ収容部９内に入り、横置きの通信用パッケージ３３の上部を流動して横置きパッケージ収容部９の天井部３２ｂの通気口３４ｂから出る。すなわち、冷却用空気が横置きパッケージ冷却用空間Ｈを通過する。次に、冷却用空気は、出口側横置きパッケージ冷却用導風路Ｈ２の第１の出口側導風路Ｈ２−１と、第２の出口側導風路Ｈ２−２と、第３の出口側導風路Ｈ２−３を経て排気口１７から機外に排出される。この場合、横置きパッケージ冷却用空間部Ｈ内において、冷却用空気が、通信用パッケージ３３上部を流動することで、通信用パッケージ３３が冷却されることになる。
【００５４】
以上のように、本発明の実施の形態によれば、縦置きパッケージである各データ制御用パッケージ２４を縦置きパッケージ用強制冷却系Ｗ１で冷却するし、また、横置きパッケージである通信用パッケージ３３を横置きパッケージ用強制冷却系Ｗ２で冷却することができるために、通信用パッケージ３３が発生する熱を、各データ制御用パッケージ２４に影響させないようにすることができる。したがって、別の１９インチのラックを使用することなく、１９インチのラックに収容できる横幅を有する一つの筐体に、縦置きパッケージと横置きパッケージを混在させることができて、より多くのパッケージを一つの筐体の内部に収容することができる。このために、設置スペースを拡大させてしまうことなく、より多くのパッケージを収容したいという、顧客の要望に答えることができる。しかも、部品点数の削減や筐体の構造の簡略化が可能になり、電子機器１のコストを低減することができる。
【産業上の利用可能性】
【００５５】
本発明に係る電子機器の冷却装置によれば、縦置きパッケージを縦置きパッケージ用強制冷却系で冷却するし、また、横置きパッケージを横置きパッケージ用強制冷却系で冷却することができるために、横置きパッケージが発生する熱を、縦置きのパッケージに影響させないようにすることができて、別の１９インチのラックを使用することなく、１９インチのラックに収容できる横幅を有する一つの筐体に、縦置きパッケージと横置きパッケージを混在させることができて、より多くのパッケージを一つの筐体の内部に収容することができる。このために、設置スペースを拡大させてしまうことなく、より多くのパッケージを収容したいという、顧客の要望に答えることができるという効果を有しており、多数のパッケージを収容する電子機器に有効である。
【図面の簡単な説明】
【００５６】
【図１】本発明の実施の形態に係る冷却装置を備えた電子機器の斜視図である。
【図２】同電子機器の正面図である。
【図３】同電子機器の後面図である。
【図４】同電子機器の右側面図である。
【図５】同電子機器の左側面図である。
【図６】同電子機器の一部省略した分解状態の斜視図である。
【図７】同電子機器において左壁を外した状態の斜視図である。
【図８】同電子機器において右壁と天井壁を外した状態の斜視図である。
【図９】同電子機器において左壁および底壁を外した状態を底側から視た斜視図である
【図１０】同電子機器において右壁を外した状態における冷却用空気の流れ方向を示す説明図である。
【符号の説明】
【００５７】
１      電子機器
２      筐体
３      底壁
４      天井壁
５Ｌ    左側壁
５Ｒ    右側壁
６      前壁
７      後壁
８      縦置きパッケージ収容部
９      横置きパッケージ収容部
１０    配線スペース
１１    電源収容部
１２    第１の機器挿入口
１３    第２の機器挿入口
１４    正面空気取入口（縦置きパッケージ用冷却用空気取入口）
１７    排気口
１８    冷却フアン
１９Ｌ  側面空気取入口（横置きパッケージ用冷却用空気取入口）
１９Ｒ  側面空気取入口（横置きパッケージ用冷却用空気取入口）
２０Ｌ  通気口
２０Ｒ  通気口
２１    マザーボード
２２    パッケージ受け側レール
２３    レール形成部材
２４    データ制御用パッケージ（縦置きパッケージ）
２５    仕切板材
３１    保持部材
３３    通信用パッケージ（横置きパッケージ）
３４ａ  通気口
３４ｂ  通気口
３５    第１の風導板材
３５ａ  垂直面部
３５ｂ  傾斜面部
３５ｃ  角部
３６    第２の風導板材
３６ｂ  屈曲部
３７    第３の風導板材
３８    第４の風導板材
３８ａ  前縁部
３９    第５の風導板材
Ｇ      縦置きパッケージ冷却用空間部
Ｇ１    入口側縦置きパッケージ冷却用導風路
Ｇ２    出口側縦置きパッケージ冷却用導風路
Ｈ      横置きパッケージ冷却用空間部
Ｈ１    入口側横置きパッケージ冷却用導風路
Ｈ２    出口側横置きパッケージ冷却用導風路
Ｈ２−１  第１の出口側導風路
Ｈ２−２  第２の出口側導風路
Ｈ２−３  第３の出口側導風路
Ｆ      天井側空間
Ｆ１    角部
Ｗ１    縦置きパッケージ用強制冷却系
Ｗ２    横置きパッケージ用強制冷却系
【図１】
2009218519.tif 000003
【図２】
2009218519.tif 000004
【図３】
2009218519.tif 000005
【図４】
2009218519.tif 000006
【図５】
2009218519.tif 000007
【図６】
2009218519.tif 000008
【図７】
2009218519.tif 000009
【図８】
2009218519.tif 000010
【図９】
2009218519.tif 000011
【図１０】
2009218519.tif 000012